(57)【特許請求の範囲】
【請求項１】
複数の光ファイバ収納用のトレイ本体を段積して蝶番により起伏自在とした段積トレイにおいて、上下に段積した下方のトレイ本体の蝶番側の側面に弾性突起を突設するとともに上方のトレイ本体の蝶番側の側面に係止突起を突設して、上方のトレイ本体が起立した状態において弾性突起に係止突起が係合して、該上方のトレイ本体が起立した状態を保持する光ファイバ収納用の段積トレイであって、前記弾性突起を内向きに対向させた一対の爪部を備えるものとし、前記係止突起に前記一対の爪部の間に介入させる係合突出部を形成して上方のトレイ本体が起立した状態において前記係合突出部の上面部が該爪部に係合することを特徴とする光ファイバ収納用の段積トレイ。
【請求項２】
複数の光ファイバ収納用のトレイ本体を段積して蝶番により起伏自在とした段積トレイにおいて、上下に段積した下方のトレイ本体の蝶番側の側面に弾性突起を突設するとともに上方のトレイ本体の蝶番側の側面に係止突起を突設して、上方のトレイ本体が起立した状態において弾性突起に係止突起が係合して、該上方のトレイ本体が起立した状態を保持する光ファイバ収納用の段積トレイであって、前記弾性突起を外向きに形成した一対の爪部を備えるものとし、前記係止突起に前記一対の爪部の外側より係合する突出部を備えるものとして、上方のトレイ本体が起立した状態において前記突出部の上面部が爪部に係合することを特徴とする光ファイバ収納用の段積トレイ。
【請求項３】
前記弾性突起の上部を平面部として形成し、上方のトレイ本体が起立した状態において上方のトレイ本体の側面を前記平面部に当接して保持した請求項１又は２に記載の光ファイバ収納用の段積トレイ。
【発明の詳細な説明】
【技術分野】
【０００１】
本発明は、光ファイバの余長収納トレイ、心線接続トレイ、アダプタ接続トレイ等の光ファイバ収納用のトレイ本体を段積してなる光ファイバ収納用の段積トレイに関するものである。
【背景技術】
【０００２】
光ファイバ収納用の段積トレイは下方に位置するトレイ本体に光ファイバの配線作業を行う場合に、これの上部に位置するトレイ本体を除いて行う必要がある。そこで、これに対応させた技術手段としては、段積したトレイ本体を起伏自在に蝶番で連結して、上部に位置するトレイ本体を蝶番を支点に起立させて、下方に位置するトレイ本体の上面を開放状態とするものがある（特許文献１参照）。
【０００３】
ところが、前記のような従来のものは、上部に位置するトレイ本体を起立状態を保持するための手段を欠くものであるため、作業中にこのトレイ本体に手指が触れた際にトレイ本体が下方に位置するトレイ本体側に倒れるという問題がある。
【特許文献１】特開２００５−１５７１４９公報（図２）
【発明の開示】
【発明が解決しようとする課題】
【０００４】
本発明は前記のような従来の問題点を解決して、段積したトレイ本体の上部位置するトレイ本体を蝶番を支点に起立させて、その起立状態を保持することのできる光ファイバ収納用の段積トレイを提供する。
【課題を解決するための手段】
【０００５】
本発明の光ファイバ収納用の段積トレイは、複数の光ファイバ収納用のトレイ本体を段積して蝶番により起伏自在とした段積トレイにおいて、上下に段積した下方のトレイ本体の蝶番側の側面に弾性突起を突設するとともに上方のトレイ本体の蝶番側の側面に係止突起を突設して、上方のトレイ本体が起立した状態において弾性突起に係止突起が係合して、該上方のトレイ本体が起立した状態を保持するものである。
【０００６】
そして、前記弾性突起を内向きに対向させた一対の爪部を備えるものとし、前記係止突起に前記一対の爪部の間に介入させる係合突出部を形成して上方のトレイ本体が起立した状態において係合突出部の上面部が該爪部に係合するものとしている。
【０００７】
また、前記弾性突起を外向きに形成した一対の爪部を備えるものとし、前記係止突起に前記一対の爪部の外側より係合する突出部を備えるものとして、上方のトレイ本体が起立した状態において突出部の上面部が爪部に係合するものとしてもよい。
【０００８】
さらに、前記弾性突起の上部を平面部として形成し、上方のトレイ本体が起立した状態において上方のトレイ本体の側面を前記平面部に当接して保持したものとしてもよい。
【発明の効果】
【０００９】
前記した本発明の光ファイバ収納用の段積トレイは、複数の光ファイバ収納用のトレイ本体を段積して蝶番により起伏自在としたものであるから、上部に位置するトレイ本体を蝶番を支点に回動して起立させて、下方に位置するトレイ本体の上面を開放状態として光ファイバの配線作業を行う事ができるものである。この場合に、上下に段積した一方のトレイ本体の側面に弾性突起を突設するとともに他方のトレイ本体の側面に係止突起を突設して、上方のトレイ本体が起立した状態において弾性突起に係止突起が係合して、該起立した状態を保持できるものであるから、作業中に起立させたトレイ本体に手指が触れても下方に位置するトレイ本体側に倒れることがないものである。
【００１０】
また、弾性突起を内向きに対向させた一対の爪部を備えるものとし、係止突起を前記一対の爪部の間に介入させる係合突出部を形成してトレイ本体が起立した状態において係合突出部の上面部が爪部に係合したものとすれば、係合箇所が２個所となり安定して上方のトレイ本体の起立状態を保持できるものである。
【００１１】
また、弾性突起を外向きに形成した一対の爪部を備えるものとし、係止突起に前記一対の爪部の外側より係合する突出部を備えるものとして、トレイ本体が起立した状態において突出部の上面部が爪部に係合するものとしたものとしても、係合箇所が２個所となり安定して上方のトレイ本体の起立状態を保持できるものである。
【００１２】
さらに、前記弾性突起の上部を平面部として形成し、トレイ本体が起立した状態において上部のトレイ本体の側面を前記平面部に当接して保持したものとすれば、複数のトレイを起立させて弾性突起に強く荷重がかかった場合であっても安定してトレイを保持することができるものである。
【発明を実施するための最良の形態】
【００１３】
次に、本発明の好ましい実施の形態を図に基づき説明する。
〔第１の実施形態〕
先ず、図１―図６に示す、内部に光ファイバの曲率を維持する複数の巻回部材を備える余長収納用のトレイ本体１の上に、図示を略した内部に心線接続部を保持する保持部材を備えるカバー２ａ付きの心線接続用のトレイ本体２を段積してなる光ファイバ収納用の段積トレイにより第１の実施形態を説明する。
【００１４】
前記トレイ本体１の上に段積したトレイ本体２は蝶番３により回動して起伏自在とされている。なお、この蝶番３は一方のトレイ本体１に蝶番用軸部を設け、他方のトレイ本体１に前記蝶番用軸部に嵌合する蝶番用筒部を蝶番用軸部が嵌入できる切欠部を形成させて設けて、蝶番用軸部と蝶番用筒部を着脱できるものとしている。また、前記上下に段積した一方のトレイ本体である下方のトレイ本体１の蝶番３側の側面１１に弾性突起４を突設するとともに他方のトレイ本体である上方のトレイ本体２の蝶番３側の側面２１に係止突起５を突設してある。
【００１５】
そして、上方のトレイ本体２が蝶番３を支点に回動して下方のトレイ本体１の上面を開口させて起立した状態において弾性突起４に係止突起５が係合して、該起立した状態を保持するものである。これにより下方のトレイ本体１に光ファイバの配線作業において起立させたトレイ本体２に手指が触れても下方に位置するトレイ本体１側に倒れることがないものである。
【００１６】
前記弾性突起４と係止突起５は図１―図４に示すものは、弾性突起４が下方のトレイ本体１の蝶番３側の側面１１に突設し、一対の腕片部４０、４０の先端に内向きに対向させた一対の爪部４１、４１を備えるものとしいる。また、係止突起５は上方のトレイ本体２の蝶番３側の側面２１に突設した係合突出部としての腕板部５０とその先端に前記一対の爪部４１、４１の間に介入させる係合突出部５１よりなるものである。なお、係合突出部５１の形状は図示のものは円柱形状であるが、四角形状、六角形状等その他形状でもよい。
【００１７】
そして、トレイ本体２が蝶番３を支点に回動した際に係合突出部５１の端部周縁部５１ａ、５１ａが爪部４１、４１を外側に撓ませて該爪部４１、４１の間を通過した後に爪部４１、４１の撓みが解除されて図３、図４に示すように腕板部５０の上面部５０ａに爪部４１、４１に係合するものとしている。これにより、トレイ本体２は下方に位置するトレイ本体１の内側に倒れることがない。
【００１８】
また、弾性突起４の上部、すなわち一対の腕片部４０、４０の上部を平面部４０ａ、４０ａとして形成し、トレイ本体２が起立した状態において腕片部４０、４０の上部の平面部４０ａ、４０ａに、トレイ本体２の側面を当接させることにより、外側にも倒れることなく起立状態を保持するものである。
この構造により、複数のトレイを起立させた場合であって、弾性突起に荷重が強くかかった場合であっても、安定してトレイを保持することができるという利点がある。
【００１９】
なお、トレイ１本体が外側に倒れることを防止する構造としては、係止突起５の係合突出部５１が下方に位置するトレイ本体１の側面１１に当接させるものとしてもよい。
【００２０】
さらに、トレイ本体２が起立した状態において腕片部４０、４０の上部の平面部４０ａ、４０ａに、トレイ本体２の側面を当接させると同時に、係止突起５の係合突出部５１が下方に位置するトレイ本体１の側面１１に当接させる構造とすれば、弾性突起４及び係止突起５にかかる力が分散し、複数のトレイを起立させた場合であって、弾性突起に荷重が強くかかった場合であっても、より安定してトレイを保持することができるという利点がある。
【００２１】
また、爪部４１は一対である必要はなく一方のみとしてもよい。すなわち、図５、図６に示すように、下方のトレイ本体１の蝶番３側の側面１１に突設した弾性突起４を単一の腕片部４０の先端に爪部４１を備えるものとし、上方のトレイ本体２の蝶番３側の側面２１に突設した係止突起５を前記爪部４１に対応する腕板部５０の上面部５０ａに形成したものとしてもよい。
さらに、上記構造において弾性突起４と係止突起５は、図５に示すように下方のトレイ本体１の側面１１の蝶番３、３の中間に一組を配置してもよいが、蝶番３、３の外側にそれぞれ一組づつ配置したものとしてもよい。
【００２２】
さらに、弾性突起４及び係止突起５のうちいずれか一方を、蝶番３と一体的に形成してもよい。例えば、蝶番用軸部を嵌入するトレイ本体２に設けた蝶番筒部の外周縁部に係止突起５を形成し、対応する弾性突起４を蝶番部の下方に対応して形成するものとしてもよい。
【００２３】
なお、トレイ本体１とトレイ本体２とは種類の異なる光接続トレイであるが、上述したような蝶番、弾性突起、係止突起の構造をそれぞれのトレイに採用することにより、必要に応じて異なる種類のトレイを最適に段積みすることが可能なものである。
【００２４】
〔第２の実施形態〕
次ぎに、図７―図１０に示す、内部に光ファイバの曲率を維持する複数の巻回部材を備える余長収納用のトレイ本体１同士を上下に段積してなる光ファイバ収納用の段積トレイにより第２の実施形態について説明する。
【００２５】
この第２の実施形態２は前記第１の実施形態と、光ファイバ収納用の段積トレイの構成及び弾性突起４と係止突起５が相違するに過ぎないものであるから、この相違する部分につき説明し、他の説明は前記第１の実施形態の説明を援用する。
【００２６】
すなわち、下方のトレイ本体１の蝶番３側の側面１１に突設した弾性突起４は突出部としての一対の腕片部４０、４０の先端にそれぞれ外向きに爪部４２、４２を備えるものとし、上方のトレイ本体１の蝶番３側の側面１１に突設した係止突起５を前記爪部４２、４２の外側より係合する一対の腕板部５０、５０よりなるものとしている。また、一対の腕板部５０、５０の下面には、断面半円状の突出部５２、５２が形成されている。
【００２７】
これにより、トレイ本体１が蝶番３を支点に回動した際に一対の腕板部５０、５０の下面に設けた突出部５２、５２の端部周縁部５２ａ、５２ａが爪部４２、４２を内側に撓ませて、該爪部４２、４２の外側を通過した後に爪部４２、４２が撓みを解除して腕板部５０、５０の上面が爪部４２、４２に係合している。これにより、トレイ本体１は下方に位置するトレイ本体１の内側に倒れることがない。
【００２８】
また、実施形態１と同様に一対の腕片部４０、４０の上部を平面部４０ａ、４０ａとして形成し、トレイ本体２が起立した状態において腕片部４０、４０の上部の平面部４０ａ、４０ａに、トレイ本体２の側面を当接させる構造とすれば、外側にも倒れることなく起立状態を保持するものである。
また、トレイを起立させた状態で、係止突起５の係合突出部５１が下方に位置するトレイ本体１の側面１１に当接させるものとすれば、弾性突起に荷重が強くかかった場合であっても、安定してトレイを保持することができるという利点があることも実施形態１と同様である。
【００２９】
また、図１１に示すように、トレイ本体１の側面１１にケーブル保持具６を取り付けるための取付孔７を設けて、該取付孔７にケーブル保持具６の裏面に設けた突起６ａを着脱自在に嵌合できるものとすることにより、ケーブルの出線位置に合わせて適切にケーブル保持具を配置できるものである。
【図面の簡単な説明】
【００３０】
【図１】第１の実施形態を示す斜視図。
【図２】第１の実施形態の要部を示す斜視図
【図３】第１の実施形態を上方のトレイ本体を起立させて示す斜視図。
【図４】第１の実施形態を上方のトレイ本体を起立させて示す要部の斜視図。
【図５】第１の実施形態の他例の要部を示す斜視図
【図６】第１の実施形態の他例の上方のトレイ本体を起立させて示す要部の斜視図。
【図７】第２の実施形態を示す斜視図。
【図８】第２の実施形態の要部を示す斜視図
【図９】第２の実施形態を上方のトレイ本体を起立させて示す斜視図。
【図１０】第２の実施形態を上方のトレイ本体を起立させて示す要部の斜視図。
【図１１】（Ａ）は側面にケーブル保持具を取り付けたトレイ本体の１例を示す斜視図、（Ｂ）はケーブル保持具を示す斜視図である。
【符号の説明】
【００３１】
１  トレイ本体
２  トレイ本体
３  蝶番
４  弾性突起
41  爪部
42  爪部
５  係止突起
51  係合突出部
51a  端部周縁部
52  突出部
52a  周縁部
【図１】
0004883710.tif 000002
【図２】
0004883710.tif 000003
【図３】
0004883710.tif 000004
【図４】
0004883710.tif 000005
【図５】
0004883710.tif 000006
【図６】
0004883710.tif 000007
【図７】
0004883710.tif 000008
【図８】
0004883710.tif 000009
【図９】
0004883710.tif 000010
【図１０】
0004883710.tif 000011
【図１１】
0004883710.tif 000012